(57)【要約】【課題】１個のセンサ装置のみで、且つ、通路の側辺から移動対象物の通過を検出することができるセンサ装置、方法、システム及びプログラムを提供する。【解決手段】時間間隔ｔmで連続的に照射波光を送信しその反射波光を受信するセンサデバイスを有するセンサ装置である。センサ装置は、想定される移動速度ｖの移動対象物に対して、センサデバイスの測定可能幅ｗの中で、照射波光の複数回の送信に対して各反射波光を受信することができる照射角θを決定する照射角決定手段と、移動対象物の進行方向に対する通過路の側辺から、センサデバイスの照射波光の向きを、照射角θに制御する照射角制御手段とを有する。【選択図】図３
2019120583.tif 000002
【特許請求の範囲】
【請求項１】
時間間隔ｔmで連続的に照射波光を送信しその反射波光を受信するセンサデバイスを有するセンサ装置であって、
想定される移動速度ｖの移動対象物に対して、前記センサデバイスの測定可能幅ｗの中で、照射波光の複数回の送信に対して各反射波光を受信することができる照射角θを決定する照射角決定手段と、
移動対象物の進行方向に対する通過路の側辺から、前記センサデバイスの照射波光の向きを、前記照射角θに制御する照射角制御手段と
を有することを特徴とするセンサ装置。
【請求項２】
前記照射角決定手段は、移動対象物の想定速度ｖと前記時間間隔ｔmとを乗算した進行距離（ｖ・ｔm）に対する、当該センサデバイスの測定可能幅ｗの割合（ｗ／(ｖ・ｔm)）の逆正弦関数の角度よりも小さくなる
θ  ＜  sin-1（ｗ／(ｖ・ｔm)）
ように、前記照射角θを決定する
ことを特徴とする請求項１に記載のセンサ装置。
【請求項３】
前記照射角決定手段は、時間間隔ｔmの照射回数ｎ回（ｎ≧２）によって前記移動対象物の通過を検出する場合、前記進行距離（ｖ・ｔm）にｎ−１を更に乗算する
θ  ＜  sin-1（ｗ／((ｎ−１)・ｖ・ｔm)）
ことを特徴とする請求項２に記載のセンサ装置。
【請求項４】
前記センサデバイスは、反射波光に基づいて距離を測定可能であり、
移動対象物が通過していない場合に測定した定常距離Ｌ0を予め記憶する定常距離記憶手段と、
前記センサデバイスによって測定された距離の中で、定常距離Ｌ0でない距離のみを測定距離Ｌとして出力する測定距離出力手段と
を更に有することを特徴とする請求項１から３のいずれか１項に記載のセンサ装置。
【請求項５】
前記測定距離出力手段によって時系列の順に測定距離が出力された際に、
時刻ｔの測定距離Ｌt
時刻ｔ+nの測定距離Ｌt+n
時刻ｔ+2nの測定距離Ｌt+2n
（測定距離Ｌt＋測定距離Ｌt+n）   ／２＝平均距離Ａt
（測定距離Ｌt+n＋測定距離Ｌt+2n）／２＝平均距離Ａt+n
平均距離Ａt−平均距離Ａt+n＝負：センサデバイスからの遠ざかり
平均距離Ａt−平均距離Ａt+n＝正：センサデバイスへの近づき
のようにセンサデバイスとの遠近移動を判定する遠近移動判定手段と、
移動対象物の進行の向きに対してセンサデバイスからの遠ざかりが判定された場合に、前記平均距離の移動差が所定距離閾値以上となった際に移動通過を検出し、移動対象物の進行の逆向きに対してセンサデバイスへの近づきが判定された場合に、前記平均距離の移動差が所定距離閾値以上となった際に移動通過を検出する移動通過検出手段と
を更に有することを特徴とする請求項４に記載のセンサ装置。
【請求項６】
前記移動通過検出手段によって前記移動通過が検出された移動通過回数を計数する移動通過回数計数手段と、
前記移動通過回数を、ネットワークを介してサーバへ送信する移動通過回数送信手段と
を更に有することを特徴とする請求項５に記載のセンサ装置。
【請求項７】
前記遠近移動判定手段は、前記測定距離出力手段から照射回数ｍ回で連続して前記測定距離が出力されなかった際に、ｍ回の各時刻の測定距離のデータを初期化する
ことを特徴とする請求項５又は６に記載のセンサ装置。
【請求項８】
前記センサデバイスは、距離センサであって、赤外線センサ、超音波センサ、又は、デプス（深度）カメラであることを特徴とする請求項１から７のいずれか１項に記載のセンサ装置。
【請求項９】
時間間隔ｔmで連続的に照射波光を送信しその反射波光を受信するセンサデバイスを有する装置の移動通過検出方法であって、
前記装置は、
想定される移動速度ｖの移動対象物に対して、前記センサデバイスの測定可能幅ｗの中で、照射波光の複数回の送信に対して各反射波光を受信することができる照射角θを決定する第１のステップと、
移動対象物の進行方向に対する通過路の側辺から、前記センサデバイスの照射波光の向きを、前記照射角θに制御する第２のステップと
を実行することを特徴とする装置の移動通過検出方法。
【請求項１０】
時間間隔ｔmで連続的に照射波光を送信しその反射波光を受信するセンサデバイスを、通過路の側辺に配置したシステムであって、
想定される移動速度ｖの移動対象物に対して、前記センサデバイスの測定可能幅ｗの中で、照射波光の複数回の送信に対して各反射波光を受信することができる照射角θで、移動対象物の進行方向に対する通過路の側辺から、照射波光を照射するように当該センサデバイスを配置することを特徴とするシステム。
【請求項１１】
時間間隔ｔmで連続的に照射波光を送信しその反射波光を受信するセンサデバイスについて、移動対象物の進行方向に対する通過路の側辺から、前記センサデバイスの照射波光の照射角θを決定するプログラムであって、
想定される移動速度ｖの移動対象物に対して、前記センサデバイスの測定可能幅ｗの中で、照射波光の複数回の送信に対して各反射波光を受信することができる照射角θを決定する
ようにコンピュータを機能させることを特徴とするプログラム。
【発明の詳細な説明】
【技術分野】
【０００１】
本発明は、移動対象物の通過を検出するセンサの技術に関する。
【背景技術】
【０００２】
図１は、従来技術における移動対象物の通過を検出するシステム構成図である。
【０００３】
従来、図１のように、複数の超音波センサを用いて、所定領域を通過する人数を計数する技術がある（例えば特許文献１参照）。この技術によれば、通路上方に設置された複数の超音波センサが、少なくとも２列以上で通路下方へ超音波を送信し、その反射波を受信する。このとき、各センサは、超音波の送信後その反射波を受信するまでの時間を測定し、当該センサと人（移動対象物）との間の距離を測定する。
また、測定した距離の時系列変化から、移動対象物が、例えば人のような被計数物か否かも判定する。被計数物と認定した場合に、近接する複数のセンサの検知状況から、累積的な移動通過回数を１増分する。
【先行技術文献】
【特許文献】
【０００４】
【特許文献１】特許第２９６３２３６号公報
【発明の概要】
【発明が解決しようとする課題】
【０００５】
しかしながら、前述した従来技術によれば、人が移動する通路上方に、複数のセンサを設置する必要があり、比較的大きい規模の設置スペースを必要とする。また、複数のセンサを設置するためには、電力の確保も必要となり、例えば登山道などの屋外で利用する場合、インフラ設備を整備する必要もある。
【０００６】
そこで、本発明は、１個のセンサ装置のみで、且つ、通路の側辺から移動対象物の通過を検出することができるセンサ装置、方法、システム及びプログラムを提供することを目的とする。
【課題を解決するための手段】
【０００７】
本発明によれば、時間間隔ｔmで連続的に照射波光を送信しその反射波光を受信するセンサデバイスを有するセンサ装置であって、
想定される移動速度ｖの移動対象物に対して、センサデバイスの測定可能幅ｗの中で、照射波光の複数回の送信に対して各反射波光を受信することができる照射角θを決定する照射角決定手段と、
移動対象物の進行方向に対する通過路の側辺から、センサデバイスの照射波光の向きを、照射角θに制御する照射角制御手段と
を有することを特徴とする。
【０００８】
本発明のセンサ装置における他の実施形態によれば、
照射角決定手段は、移動対象物の想定速度ｖと時間間隔ｔmとを乗算した進行距離（ｖ・ｔm）に対する、当該センサデバイスの測定可能幅ｗの割合（ｗ／(ｖ・ｔm)）の逆正弦関数の角度よりも小さくなる
θ  ＜  sin-1（ｗ／(ｖ・ｔm)）
ように、照射角θを決定することも好ましい。
【０００９】
本発明のセンサ装置における他の実施形態によれば、
照射角決定手段は、時間間隔ｔmの照射回数ｎ回（ｎ≧２）によって移動対象物の通過を検出する場合、進行距離（ｖ・ｔm）にｎ−１を更に乗算する
θ  ＜  sin-1（ｗ／((ｎ−１)・ｖ・ｔm)）
ことも好ましい。
【００１０】
本発明のセンサ装置における他の実施形態によれば、
センサデバイスは、反射波光に基づいて距離を測定可能であり、
移動対象物が通過していない場合に測定した定常距離Ｌ0を予め記憶する定常距離記憶手段と、
センサデバイスによって測定された距離の中で、定常距離Ｌ0でない距離のみを測定距離Ｌとして出力する測定距離出力手段と
を更に有することも好ましい。
【００１１】
本発明のセンサ装置における他の実施形態によれば、
測定距離出力手段によって時系列の順に測定距離が出力された際に、
時刻ｔの測定距離Ｌt
時刻ｔ+nの測定距離Ｌt+n
時刻ｔ+2nの測定距離Ｌt+2n
（測定距離Ｌt＋測定距離Ｌt+n）   ／２＝平均距離Ａt
（測定距離Ｌt+n＋測定距離Ｌt+2n）／２＝平均距離Ａt+n
平均距離Ａt−平均距離Ａt+n＝負：センサデバイスからの遠ざかり
平均距離Ａt−平均距離Ａt+n＝正：センサデバイスへの近づき
のようにセンサデバイスとの遠近移動を判定する遠近移動判定手段と、
移動対象物の進行の向きに対してセンサデバイスからの遠ざかりが判定された場合に、平均距離の移動差が所定距離閾値以上となった際に移動通過を検出し、移動対象物の進行の逆向きに対してセンサデバイスへの近づきが判定された場合に、平均距離の移動差が所定距離閾値以上となった際に移動通過を検出する移動通過検出手段と
を更に有することも好ましい。
【００１２】
本発明のセンサ装置における他の実施形態によれば、
移動通過検出手段によって移動通過が検出された移動通過回数を計数する移動通過回数計数手段と、
移動通過回数を、ネットワークを介してサーバへ送信する移動通過回数送信手段と
を更に有することも好ましい。
【００１３】
本発明のセンサ装置における他の実施形態によれば、
遠近移動判定手段は、測定距離出力手段から照射回数ｍ回で連続して測定距離が出力されなかった際に、ｍ回の各時刻の測定距離のデータを初期化する
ことも好ましい。
【００１４】
本発明のセンサ装置における他の実施形態によれば、
センサデバイスは、距離センサであって、赤外線センサ、超音波センサ、又は、デプス（深度）カメラであることも好ましい。
【００１５】
本発明によれば、時間間隔ｔmで連続的に照射波光を送信しその反射波光を受信するセンサデバイスを有する装置の移動通過検出方法であって、
装置は、
想定される移動速度ｖの移動対象物に対して、センサデバイスの測定可能幅ｗの中で、照射波光の複数回の送信に対して各反射波光を受信することができる照射角θを決定する第１のステップと、
移動対象物の進行方向に対する通過路の側辺から、センサデバイスの照射波光の向きを、照射角θに制御する第２のステップと
を実行することを特徴とする。
【００１６】
本発明によれば、時間間隔ｔmで連続的に照射波光を送信しその反射波光を受信するセンサデバイスを、通過路の側辺に配置したシステムであって、
想定される移動速度ｖの移動対象物に対して、センサデバイスの測定可能幅ｗの中で、照射波光の複数回の送信に対して各反射波光を受信することができる照射角θで、移動対象物の進行方向に対する通過路の側辺から、照射波光を照射するように当該センサデバイスを配置することを特徴とする。
【００１７】
本発明によれば、時間間隔ｔmで連続的に照射波光を送信しその反射波光を受信するセンサデバイスについて、移動対象物の進行方向に対する通過路の側辺から、センサデバイスの照射波光の照射角θを決定するプログラムであって、
想定される移動速度ｖの移動対象物に対して、センサデバイスの測定可能幅ｗの中で、照射波光の複数回の送信に対して各反射波光を受信することができる照射角θを決定する
ようにコンピュータを機能させることを特徴とする。
【発明の効果】
【００１８】
本発明のセンサ装置、方法、システム及びプログラムによれば、１個のセンサ装置のみで、且つ、通路の側辺から移動対象物の通過を検出することができる。
【図面の簡単な説明】
【００１９】
【図１】従来技術における移動対象物の通過を検出するシステム構成図である。
【図２】本発明におけるセンサ装置の機能構成図である。
【図３】本発明におけるセンサ装置の第１の配置方法を表す説明図である。
【図４】本発明におけるセンサ装置の第２の配置方法を表す説明図である。
【図５】移動通過と検出しない具体例の説明図である。
【発明を実施するための形態】
【００２０】
以下、本発明の実施の形態について、図面を用いて詳細に説明する。
【００２１】
図２は、本発明におけるセンサ装置の機能構成図である。
【００２２】
図２によれば、センサ装置１は、基本的に、センサデバイス１０と、照射角決定部１１と、照射角制御部１２とを有する。また、オプション的に、定常距離記憶部１３と、測定距離出力部１４と、遠近移動判定部１５と、移動通過検出部１６と、移動通過回数計数部１７と、移動通過回数送信部１８とを有する。これら機能構成部は、センサ装置に搭載されたコンピュータを機能させるプログラムを実行することによって実現される。また、これら機能構成部は、全体的なシステムとしても理解できると共に、それら処理の流れは、移動通過検出方法として理解できる。
【００２３】
［センサデバイス１０］
センサデバイス１０は、時間間隔ｔmで連続的に照射波光を送信しその反射波光を受信する。このとき、センサデバイス１０は、反射波光に基づく「距離」を測定可能なものである。測定された距離は、照射角決定部１１へ出力される。
【００２４】
センサデバイス１０は、距離センサであって、例えば赤外線センサ、超音波センサ、又は、デプス（深度）カメラであってもよい。
赤外線センサ：赤外光を発光し、その反射光を受光する
超音波センサ：超音波を送信し、その反射波を受信する
デプスカメラ：赤外光を発光し、その反射光から奥行き画像を取得する
尚、「照射波光」「反射波光」とは、これら距離センサ全てについて、送受信する超音波／赤外線／レーザ光を総称した意味である。
【００２５】
但し、赤外線センサや超音波センサは、周辺環境から反射波光に対する影響を受けやすい。また、デプスカメラは、正確に深度を計測するために高コストとなる。いずれのセンサを選択するかは、通路の周辺環境に基づく。
【００２６】
［照射角決定部１１］
照射角決定部１１は、想定される移動速度ｖの移動対象物に対して、センサデバイス１０の測定可能幅ｗの中で、照射波光の複数回の送信に対して各反射波光を受信することができる「照射角θ」を決定する。
決定された照射角θは、照射角制御部１２へ出力される。
【００２７】
図３は、本発明におけるセンサ装置の第１の配置方法を表す説明図である。
図３（ａ）は、移動対象物の移動方向を平行とし、移動向きを角度0°とした照射角θに向けて配置されたセンサデバイスを表す。
図３（ｂ）は、センサデバイスの測定距離が時系列に長くなるほど、センサ装置１から見て移動対象物が遠ざかる方向へ移動していることを表す。
図３（ｃ）は、図３（ｂ）に基づく移動通過の判定を表す。
【００２８】
図４は、本発明におけるセンサ装置の第２の配置方法を表す説明図である。
図４（ａ）は、移動対象物の移動方向を平行とし、移動逆向きを角度0°とした照射角θに向けて配置されたセンサデバイスを表す。
図４（ｂ）は、センサデバイスの測定距離が時系列に長くなるほど、センサ装置１から見て移動対象物が近づく方向へ移動していることを表す。
図４（ｃ）は、図４（ｂ）に基づく移動通過の判定を表す。
【００２９】
照射角決定部１１は、移動対象物の想定速度ｖと時間間隔ｔmとを乗算した進行距離（ｖ・ｔm）に対する、当該センサデバイス１０の測定可能幅ｗの割合（ｗ／(ｖ・ｔm)）の逆正弦関数の角度よりも小さくなるように、照射角θを決定する。
θ  ＜  sin-1（ｗ／(ｖ・ｔm)）
ｗ：センサデバイス１０の測定可能幅
ｔm：センサがpingを送信可能な最小単位時間間隔
ｖ：移動対象物の想定速度
ｗ及びｔmは、センサデバイスの技術仕様に基づく。
【００３０】
図３（ａ）及び図４（ａ）によれば、以下のように表現される。
sinθ ＝ ｗ／ｗ'
ｗ' ＝ ｗ／sinθ＝ｖ・ｔm
ｗ' ＞ ｖ・ｔm
ｗ' ＞ ｗ／sinθ＝ｖ・ｔm
sinθ ＜ （ｗ／(ｖ・ｔm)）    （0°＜θ＜90°）
尚、最大距離Ｌmaxと通路幅ｈとの関係は、以下の式で表現される。
sinθ ＝ ｈ／Ｌmax
ｈ ＝ Ｌmax・sinθ
ｈ ＜ Ｌmax・sinθ    （0°＜θ＜90°）
【００３１】
他の実施形態として、センサデバイス１０は、１つの移動対象物に対して、照射回数ｎ（ｎ≧２）回を照射可能とし、それによって過去ｎ回の距離に基づいて照射角θを決定することも好ましい。
照射角決定部１１は、時間間隔ｔmの照射回数ｎ回（ｎ≧２）によって移動対象物の通過を検出する場合、進行距離（ｖ・ｔm）にｎ−１を更に乗算する。
θ  ＜  sin-1（ｗ／((ｎ−１)・ｖ・ｔm)）
ｎ：照射回数
【００３２】
図３（ａ）及び図４（ａ）によれば、以下のように表現される。
ｗ' ＞ (ｎ−１)・ｖ・ｔm
ｗ' ＞ ｗ／sinθ＝(ｎ−１)・ｖ・ｔm
sinθ ＜ （ｗ／((ｎ−１)・ｖ・ｔm)）    （0°＜θ＜90°）
【００３３】
前述した式に、具体的な数値を当てはめて説明する。
センサデバイスの測定可能幅：ｗ＝0.2ｍ
センサがpingを送信可能な最小単位時間間隔：ｔm＝0.15秒
移動対象物の想定速度：ｖ＝0.8ｍ／秒
（人における平地の一般的な歩行速度1.3ｍ／秒から悪路を考慮）
照射回数：ｎ＝3回
sinθ ＜ （ｗ／((ｎ−１)・ｖ・ｔm)）
sinθ ＜ （0.2／((2)・0.8・0.15)）
sinθ ＜ 0.83
θ  ＜  sin-1 0.83
θ  ＜  56°
この場合、センサ装置１のセンサデバイス１０は、移動対象物の進行方向に対する通過路の側辺から、センサデバイス１０の照射波光の向きを、照射角56°に制御する。
【００３４】
［照射角制御部１２］
照射角制御部１２は、移動対象物の進行方向に対する通過路の側辺から、センサデバイス１０の照射波光の向きを、照射角θに制御する。
センサ装置１から見て移動対象物が遠ざかる方向へ移動している場合は、センサデバイス１０は、図３のような照射角θに制御され、逆に、近づく方向へ移動している場合は、センサデバイス１０は、図４のような照射角θに制御される。
【００３５】
［定常距離記憶部１３］
定常距離記憶部１３は、移動対象物が通過していない場合に測定した定常距離Ｌ0を予め記憶する。この定常距離Ｌ0は、測定距離出力部１４から参照される。
定常距離は、例えばセンサデバイス１０から通路の反対側壁までの距離や、通路側壁がない場合におけるセンサデバイス１０の測定可能な限界距離となる。
センサデバイス１０が、定常距離を測定したということは、照射波光が移動対象物に当たらなかったことを意味する。
【００３６】
［測定距離出力部１４］
測定距離出力部１４は、センサデバイス１０によって測定された距離の中で、定常距離Ｌ0でない距離のみを測定距離Ｌとして出力する。
測定距離出力部１４は、センサデバイスの測定可能幅ｗの中で、時系列に測定距離を順に出力する。
時刻ｔの測定距離Ｌt
時刻ｔ+nの測定距離Ｌt+n
時刻ｔ+2nの測定距離Ｌt+2n
・・・・・
測定距離Ｌは、遠近移動判定部１５へ出力される。
【００３７】
［遠近移動判定部１５］
遠近移動判定部１５は、以下のようにセンサデバイス１０との遠近移動を判定する。
（測定距離Ｌt＋測定距離Ｌt+n）   ／２＝平均距離Ａt
（測定距離Ｌt+n＋測定距離Ｌt+2n）／２＝平均距離Ａt+n
平均距離Ａt−平均距離Ａt+n＝負：センサデバイスからの遠ざかり
平均距離Ａt−平均距離Ａt+n＝正：センサデバイスへの近づき
【００３８】
図３（ｂ）（ｃ）によれば、照射角θは、移動対象物に対して時系列に３回分の距離が測定されている。
時刻ｔ   ：160cm
時刻ｔ+n ：182cm
時刻ｔ+2n：202cm
このとき、隣り合う時刻における平均距離を算出する。
時刻ｔとｔ+nとの平均距離    ：ｘt＝171cm
時刻ｔ+nとｔ+2nとの平均距離：ｘt+n＝192cm
そして、後時刻の平均距離と先時刻の平均距離との差を算出する。
ｘt+n−ｘt ＝ 192cm−171cm ＝ ＋21cm
ここで、平均距離の差が「＋」であるので、センサ装置１から見て移動対象物が遠ざかる方向へ移動していることを意味する。
【００３９】
図４（ｂ）（ｃ）でも、照射角θは、移動対象物に対して時系列に３回分の距離が測定されている。
時刻ｔ   ：202cm
時刻ｔ+n ：182cm
時刻ｔ+2n：160cm
このとき、隣り合う時刻における平均距離を算出する。
時刻ｔとｔ+nとの平均距離    ：ｘt＝192cm
時刻ｔ+nとｔ+2nとの平均距離：ｘt+n＝171cm
そして、後時刻の平均距離と先時刻の平均距離との差を算出する。
ｘt+n−ｘt ＝ 171cm−192cm ＝ −21cm
ここで、平均距離の差が「−」であるので、センサ装置１から見て移動対象物が近づく方向へ移動していることを意味する。
【００４０】
また、遠近移動判定部１５は、測定距離出力部１４から照射回数ｍ回で連続して測定距離が出力されなかった際に、ｍ回の各時刻の測定距離のデータを初期化する。これによって、遠近移動判定部１５は、ｍ回の測定距離の中でのみ、遠近移動を判定することができる。
【００４１】
［移動通過検出部１６］
移動通過検出部１６は、以下の場合に移動通過を検出する。
図３（ｂ）のように、移動対象物の進行の向きに対してセンサデバイスからの遠ざかりが判定された場合に、平均距離の移動差が所定距離閾値以上となった際に移動通過を検出する。
図４（ｂ）のように、移動対象物の進行の逆向きに対してセンサデバイスへの近づきが判定された場合に、平均距離の移動差が所定距離閾値以上となった際に移動通過を検出する。
図３（ｃ）及び図４（ｃ）について、平均距離の差が、所定閾値（例えば20cm）以上となる場合、移動対象物の移動通過が完了したと判定する。
【００４２】
図５は、移動通過と検出しない具体例の説明図である。
【００４３】
例えば１つの移動対象物に対してｎ回の照射回数を想定している場合、ｍ回で連続して測定距離が出力されないならば、測定距離のデータをリセットする。
図５によれば、定常距離が500cmと記憶されているために、ｍ回連続して定常距離500cm以上が測定されたならば、データを初期化する。
ｍ回は、オペレーションによって、ｎ回との関係によって設定することができる。ｍ＜ｎであってもよいし、ｍ＝ｎ、ｍ＞ｎであってもよい。
【００４４】
［移動通過回数計数部１７］
移動通過回数計数部１７は、移動通過検出部１６によって移動通過が検出された移動通過回数を計数する。これは、通路の通行人数として計数することができる。
【００４５】
［移動通過回数送信部１８］
移動通過回数送信部１８は、移動通過回数を、ネットワークを介してサーバ２へ送信する。
例えば登山道などの通行人数を管理する場合であっても、センサ装置１をその登山道に設置するだけで、携帯電話網のようなネットワークを介して、サーバ２で管理することができる。
【００４６】
以上、詳細に説明したように、本発明のセンサ装置、方法、システム及びプログラムによれば、１個のセンサ装置のみで、且つ、通路の側辺から移動対象物の通過を検出することができる。
本発明によれば、人が移動する通路上方に複数のセンサを設置する必要もなく、１つのセンサ装置の照射角θを決定するだけであり、極めて安価に設置することができる。また、１つのセンサしか設置しないために、センサ装置に搭載するバッテリのみで、他の電力の確保も必要ない。即ち、例えば登山道などの屋外で利用する場合であっても、インフラ設備を整備する必要もない。
【００４７】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００４８】
１  センサ装置
１０  センサデバイス
１１  照射角決定部
１２  照射角制御部
１３  定常距離記憶部
１４  測定距離出力部
１５  遠近移動判定部
１６  移動通過検出部
１７  移動通過回数計数部
１８  移動通過回数送信部
２  サーバ
【図１】
2019120583.tif 000003
【図２】
2019120583.tif 000004
【図３】
2019120583.tif 000005
【図４】
2019120583.tif 000006
【図５】
2019120583.tif 000007